(57)【要約】【課題】通信区間の健全性を監視し、通信区間で発生した障害に関する情報を通知する。【解決手段】複数のネットワーク機器及び／又は複数のネットワーク機器の接続により形成されるリンク区間からなるネットワークシステムをモデリングし、ネットワーク機器からの障害情報と、モデリングにより得られるモデリング情報とに基づき、障害による影響を示す影響情報をオペレータに対して通知することにより、ネットワークシステム内の通信経路を管理する。また、複数のネットワーク機器及び／又は複数のネットワーク機器の接続により形成されるリンク区間からなるネットワークシステムをモデリングし、保守や障害によって停止するネットワーク機器及び／又はリンク区間を設定し、停止の設定を示す設定情報と、モデリングにより得られるモデリング情報とに基づき、障害による影響を示す影響情報を通知することにより、障害等による影響をシミュレーションする。【選択図】図１
2015211255.tif 000002
【特許請求の範囲】
【請求項１】
ネットワークシステム内の通信経路を管理する通信管理方法であって、
複数のネットワーク機器及び／又は該複数のネットワーク機器の接続により形成されるリンク区間からなるネットワークシステムをモデリングし、
前記ネットワーク機器からの障害情報と、前記モデリングにより得られるモデリング情報とに基づき、障害による影響を示す影響情報を通知することを特徴とする通信管理方法。
【請求項２】
前記影響情報は、前記障害によって影響を受ける通信区間と、該影響の内容を示すことを特徴とする請求項１に記載の通信管理方法。
【請求項３】
ネットワークシステム内の通信経路を管理する通信管理方法であって、
複数のネットワーク機器及び／又は該複数のネットワーク機器の接続により形成されるリンク区間からなるネットワークシステムをモデリングし、
保守や障害によって停止するネットワーク機器及び／又はリンク区間を設定し、
前記停止の設定を示す設定情報と、前記モデリングにより得られるモデリング情報とに基づき、障害による影響を示す影響情報を通知することを特徴とする通信管理方法。
【請求項４】
ネットワークシステム内の通信経路を管理する通信管理プログラムであって、
複数のネットワーク機器及び／又は該複数のネットワーク機器の接続により形成されるリンク区間からなるネットワークシステムをモデリングし、
前記ネットワーク機器からの障害情報と、前記モデリングにより得られるモデリング情報とに基づき、障害による影響を示す影響情報を通知する通信管理方法をコンピュータ装置に実行させることを特徴とする通信管理プログラム。
【請求項５】
ネットワークシステム内の通信経路を管理する通信管理方法であって、
複数のネットワーク機器及び／又は該複数のネットワーク機器の接続により形成されるリンク区間からなるネットワークシステムをモデリングし、
保守や障害によって停止するネットワーク機器及び／又はリンク区間を設定し、
前記停止の設定を示す設定情報と、前記モデリングにより得られるモデリング情報とに基づき、障害による影響を示す影響情報を通知する通信管理方法をコンピュータ装置に実行させることを特徴とする通信管理プログラム。
【請求項６】
ネットワークシステム内の通信経路を管理する管理装置であって、
複数のネットワーク機器及び／又は該複数のネットワーク機器の接続により形成されるリンク区間からなるネットワークシステムをモデリングする制御部と、
前記モデリングにより得られるモデリング情報を格納するデータベースと、
前記ネットワーク機器に対する障害による影響を示す影響情報を表示する表示部とを備え、
前記制御部は、前記複数のネットワーク機器から供給された前記障害を示す障害情報と、前記データベースに登録された前記モデリング情報とに基づき、前記障害情報が示す障害による影響を通知するための影響情報を生成し、前記表示部に対して表示させることを特徴とする管理装置。
【請求項７】
ネットワークシステム内の通信経路を管理する管理装置であって、
複数のネットワーク機器及び／又は該複数のネットワーク機器の接続により形成されるリンク区間からなるネットワークシステムをモデリングする制御部と、
前記モデリングにより得られるモデリング情報を格納するデータベースと、
前記ネットワーク機器に対する障害による影響を示す影響情報を表示する表示部とを備え、
前記制御部は、オペレータによって設定された前記ネットワーク機器及び／又は前記リンク区間に対する障害を示す障害情報と、前記データベースに登録された前記モデリング情報とに基づき、前記障害情報が示す障害による影響を通知するための影響情報を生成し、前記表示部に対して表示させることを特徴とする管理装置。
【発明の詳細な説明】
【技術分野】
【０００１】
本発明は、通信管理方法、通信管理プログラム及び管理装置に関し、特に、障害が発生した場合の影響を通知する方法、プログラム及び装置に関する。
【背景技術】
【０００２】
近年のＩＴ（Information Technology）技術の発展によりネットワークの規模が増大し、ネットワークが複雑化している。そのため、最近では、負荷や通信経路での障害の発生等に応じて通信区間を適宜変更することにより、障害等が発生しても当該箇所を迂回して、通信が途絶しないようにする技術が用いられている。
【０００３】
また、このような通信の途絶を防ぐため、ネットワーク中の通信経路を監視して異常な経路を特定し、通信経路を自動的に切り替える技術が提案されている（例えば、特許文献１）。
【先行技術文献】
【特許文献】
【０００４】
【特許文献１】特開２００６−２２２７１８号公報
【発明の概要】
【発明が解決しようとする課題】
【０００５】
ところで、このようなネットワークを介して通信を行うシステムにおいては、上述のようにネットワークの通信経路が複雑化するため、Ｅ２Ｅ（End to End）通信区間の健全性を監視することが困難であるという問題があった。
【０００６】
これは、障害を回避する場合やトラフィックの負荷を分散する場合等により、通信区間の経路が流動的に切り替わり、データが一定の経路を通過しないためである。
【０００７】
また、Ｅ２Ｅ通信区間を疎通確認によって監視する場合、疎通確認のために通信帯域を使用することになると共に、対向する確認対象の機器が動作している必要があるためである。このとき、通信区間に途絶が発生すると、途絶原因となる箇所を把握することができない。
【０００８】
さらに、ネットワーク機器やネットワーク機器同士を接続するリンク区間を保守停止する場合には、保守停止により影響を受けるＥ２Ｅ通信区間を抽出することが困難であるという問題があった。
【０００９】
これは、保守停止により影響を受けるネットワークレイヤの特性と影響範囲とを特定すると共に、影響を受けるＥ２Ｅ通信区間を特定する必要があるためである。特に、保守停止による停止箇所が複数に及ぶ場合には、影響範囲を特定することがさらに困難になる。
【００１０】
そこで、本発明は、上記従来の技術における問題点に鑑みてなされたものであって、Ｅ２Ｅ通信区間の健全性を監視し、通信区間で発生した障害に関する情報を通知することが可能な通信管理方法、通信管理プログラム及び管理装置を提供することを目的とする。
【課題を解決するための手段】
【００１１】
上記目的を達成するため、本発明は、ネットワークシステム内の通信経路を管理する通信管理方法であって、複数のネットワーク機器及び／又は該複数のネットワーク機器の接続により形成されるリンク区間からなるネットワークシステムをモデリングし、前記ネットワーク機器からの障害情報と、前記モデリングにより得られるモデリング情報とに基づき、障害による影響を示す影響情報を通知することを特徴とする。
【００１２】
また、本発明は、ネットワークシステム内の通信経路を管理する通信管理方法であって、複数のネットワーク機器及び／又は該複数のネットワーク機器の接続により形成されるリンク区間からなるネットワークシステムをモデリングし、保守や障害によって停止するネットワーク機器及び／又はリンク区間を設定し、前記停止の設定を示す設定情報と、前記モデリングにより得られるモデリング情報とに基づき、障害による影響を示す影響情報を通知することを特徴とする。
【００１３】
また、本発明は、ネットワークシステム内の通信経路を管理する通信管理プログラムであって、複数のネットワーク機器及び／又は該複数のネットワーク機器の接続により形成されるリンク区間からなるネットワークシステムをモデリングし、前記ネットワーク機器からの障害情報と、前記モデリングにより得られるモデリング情報とに基づき、障害による影響を示す影響情報を通知する通信管理方法をコンピュータ装置に実行させることを特徴とする。
【００１４】
また、本発明は、ネットワークシステム内の通信経路を管理する通信管理方法であって、複数のネットワーク機器及び／又は該複数のネットワーク機器の接続により形成されるリンク区間からなるネットワークシステムをモデリングし、保守や障害によって停止するネットワーク機器及び／又はリンク区間を設定し、前記停止の設定を示す設定情報と、前記モデリングにより得られるモデリング情報とに基づき、障害による影響を示す影響情報を通知する通信管理方法をコンピュータ装置に実行させることを特徴とする
【００１５】
また、本発明は、ネットワークシステム内の通信経路を管理する管理装置であって、複数のネットワーク機器及び／又は該複数のネットワーク機器の接続により形成されるリンク区間からなるネットワークシステムをモデリングする制御部と、前記モデリングにより得られるモデリング情報を格納するデータベースと、前記ネットワーク機器に対する障害による影響を示す影響情報を表示する表示部とを備え、前記制御部は、前記複数のネットワーク機器から供給された前記障害を示す障害情報と、前記データベースに登録された前記モデリング情報とに基づき、前記障害情報が示す障害による影響を通知するための影響情報を生成し、前記表示部に対して表示させることを特徴とする。
【００１６】
また、本発明は、ネットワークシステム内の通信経路を管理する管理装置であって、複数のネットワーク機器及び／又は該複数のネットワーク機器の接続により形成されるリンク区間からなるネットワークシステムをモデリングする制御部と、前記モデリングにより得られるモデリング情報を格納するデータベースと、前記ネットワーク機器に対する障害による影響を示す影響情報を表示する表示部とを備え、前記制御部は、オペレータによって設定された前記ネットワーク機器及び／又は前記リンク区間に対する障害を示す障害情報と、前記データベースに登録された前記モデリング情報とに基づき、前記障害情報が示す障害による影響を通知するための影響情報を生成し、前記表示部に対して表示させることを特徴とする。
【発明の効果】
【００１７】
以上のように、本発明によれば、Ｅ２Ｅ通信区間の健全性を監視し、通信区間で発生した障害に関する情報を通知することが可能になる。
【図面の簡単な説明】
【００１８】
【図１】本発明に係る通信管理方法の適用対象となるネットワークシステムの構成の一例を示すブロック図である。
【図２】スイッチＳＷ１が停止した場合について説明するための概略図である。
【図３】ルータＲ５が停止した場合について説明するための概略図である。
【図４】本発明に係る管理装置の構成の一例を示すブロック図である。
【図５】第２の実施形態によるシミュレーション画面について説明するための概略図である。
【発明を実施するための形態】
【００１９】
次に、本発明を実施するための形態について、図面を参照しながら詳細に説明する。
【００２０】
この発明の第１の実施形態による通信管理方法は、ネットワークシステムを管理するものであり、当該ネットワークシステムにおけるＥ２Ｅ通信区間に設けられたネットワーク機器及びネットワーク機器間のリンク区間をモデリングし、これらを数珠つなぎのデータとして管理する。そして、Ｅ２Ｅ通信区間内で障害が発生した場合に、管理するモデリングデータに基づき、障害発生箇所と、発生した障害により影響を受けるＥ２Ｅ通信区間をオペレータに対して通知する。
【００２１】
図１は、本発明に係る通信管理方法の適用対象となるネットワークシステムの構成の一例を示す。この例では、システム＃１Ａ及び＃２Ａとシステム＃１Ｂ及び＃２Ｂとの間に、ネットワーク機器としてスイッチＳＷ１〜ＳＷ８及びルータＲ１〜Ｒ６が設けられる。そして、各々のネットワーク機器に設けられた複数のインターフェース（以下「ＩＦ」という。）を介して各ネットワーク機器が接続されることによってリンク区間が設けられる。
【００２２】
具体的には、各ネットワーク機器が以下のように接続される。スイッチＳＷ１のＩＦ３とルータＲ１のＩＦ１とが接続され、スイッチＳＷ１のＩＦ４とルータＲ２のＩＦ１とが接続される。また、スイッチＳＷ２のＩＦ３とルータＲ１のＩＦ２とが接続され、スイッチＳＷ２のＩＦ４とルータＲ２のＩＦ２とが接続され、スイッチＳＷ３のＩＦ３とルータＲ１のＩＦ３とが接続される。さらに、スイッチＳＷ３のＩＦ４とルータＲ２のＩＦ３とが接続され、スイッチＳＷ４のＩＦ３とルータＲ１のＩＦ４とが接続される。また、スイッチＳＷ４のＩＦ４とルータＲ２のＩＦ４とが接続される。
【００２３】
さらに、ルータＲ１のＩＦ５とルータＲ５のＩＦ１とが接続され、ルータＲ１のＩＦ６とルータＲ２のＩＦ５とが接続されると共に、ルータＲ２のＩＦ６とルータＲ６のＩＦ１とが接続される。さらにまた、ルータＲ５のＩＦ２とルータＲ３のＩＦ５とが接続され、ルータＲ６のＩＦ２とルータＲ４のＩＦ６とが接続される。
【００２４】
また、ルータＲ３のＩＦ１とスイッチＳＷ５のＩＦ１とが接続され、ルータＲ３のＩＦ２とスイッチＳＷ６のＩＦ１とが接続され、ルータＲ３のＩＦ３とスイッチＳＷ７のＩＦ１とが接続され、ルータＲ３のＩＦ４とスイッチＳＷ８のＩＦ１とが接続され、ルータＲ３のＩＦ６とルータＲ４のＩＦ５とが接続される。
【００２５】
さらに、ルータＲ４のＩＦ１とスイッチＳＷ５のＩＦ２とが接続され、ルータＲ４のＩＦ２とスイッチＳＷ６のＩＦ２とが接続され、ルータＲ４のＩＦ３とスイッチＳＷ７のＩＦ２とが接続され、ルータＲ４のＩＦ４とスイッチＳＷ８のＩＦ２とが接続される。
【００２６】
図１（ｂ）は、図１（ａ）に示すネットワークシステムをモデリングした図であり、Ｅ２Ｅ通信区間のネットワーク機器、及びネットワーク機器間のリンク区間をブロック毎に表示したものである。
【００２７】
尚、スイッチＳＷ１〜ルータＲ１の間、及びルータＲ３からスイッチＳＷ５の間は、ネットワークレイヤＬ２の区間であり、その他はＭＰＬＳ（Multi-Protocol Label Switching）網区間である。
【００２８】
図１（ｂ）に示すように、Ｅ２Ｅ通信区間において、横方向に連続的につながるブロックで形成されるものがデータの経路となり、縦方向にブロックが複数存在する場合には、経路が複数設定されることを示す。この例の場合、ＭＰＬＳ網区間においては、複数の経路（ＬＳＰ（Label Switched Path）１及びＬＳＰ２）が設定されることがわかる。
【００２９】
また、ＬＳＰにおいては、データ通信における一方向（上り）及び他方向（下り）を個別に設定する必要があり、この例では、上り及び下りのブロック列を直列的に表示している。
【００３０】
次に、図１（ａ）に示すネットワークシステムにおいて、障害が発生した場合の通信区間の状態について、具体的な例を用いて説明する。
【００３１】
図２は、スイッチＳＷ１が停止した場合の障害判定イメージである。図２（ｂ）に示すように、Ｌ２区間に設けられたスイッチＳＷ１が停止した場合には、Ｅ２Ｅ通信区間に迂回経路を設定することができない。そのため、障害による影響として、Ｅ２Ｅ通信区間の「途絶」と判定する。
【００３２】
図３は、ルータＲ５が停止した場合の障害判定イメージである。図３（ｂ）に示すように、ＭＰＬＳ網区間に設けられたルータＲ５が停止した場合には、Ｅ２Ｅ通信区間に迂回経路を設定することができる。そのため、障害による影響として、Ｅ２Ｅ通信区間のパス経路の切り替わりによる「瞬断」と判定する。尚、この場合には、通信区間が完全に途絶しないため、通信を継続することができる。
【００３３】
次に、障害が発生した場合の通信区間に対する影響の通知方法について説明する。本実施形態では、通信区間で障害が発生した場合に、このネットワークシステムを管理する管理装置に対して、障害発生による通信区間に対する影響が通知される。このような場合には、影響を受けるＬＳＰ、Ｅ２Ｅ通信区間、「途絶」や「瞬断」といった影響度が管理装置に表示される。
【００３４】
図４に示すように、通知を受ける管理装置１は、大別して、制御部１０、データベース（ＤＢ）１１、通信部１２、操作部１３及び表示部１４を備え、ネットワーク２に接続される。この管理装置１は、例えば、本実施形態を適用するネットワークシステムとは異なるネットワーク上に設けられ、外部から当該ネットワークシステムを管理する。尚、この例に限られず、例えば、当該ネットワークシステム内に設けてもよい。
【００３５】
制御部１０は、この管理装置１全体を制御する。制御部１０は、後述する通信部１２を介してネットワークシステム内の各ネットワーク機器に登録されたスタティック経路のトランジットノードに基づきＭＰＬＳ網の経路を特定し、経路をモデリングしたモデリング情報を後述するデータベース１１に登録する。
【００３６】
また、制御部１０は、ネットワークシステム内の各ネットワーク機器から供給された障害情報に基づき、データベース１１に登録されたモデリング情報を参照し、障害発生によるＥ２Ｅ通信区間に対する影響判定処理を行う。そして、この影響判定処理により、障害の影響を受けるＬＳＰやＥ２Ｅ通信区間、影響度等を示す影響情報を生成し、表示部１４に供給する。
【００３７】
データベース１１は、制御部１０でモデリングされたモデリング情報を格納する。通信部１２は、制御部１０による制御に基づき、ネットワークシステム内の各ネットワーク機器から供給される障害情報等の各種情報を制御部１０に供給する。
【００３８】
操作部１３は、オペレータの操作に基づく操作情報を制御部１０に供給する。表示部１４は、障害情報や障害による影響を示す影響情報を表示し、オペレータに対して通知する。
【００３９】
尚、この例では、障害発生による影響をオペレータに通知する方法として、表示部１４による表示を用いたが、これに限られない。例えば、管理装置１に図示しない音声出力部を設け、ネットワークシステムにおいて障害が発生したことや、この障害による影響があることをブザー等の音声によって通知してもよい。
【００４０】
以上のように、第１の実施形態によれば、ネットワークシステムのＥ２Ｅ通信区間で障害が発生した場合に、障害情報とデータベース１１に登録されたモデリング情報とに基づき、障害発生による影響を判定する影響判定処理を行うため、障害とその影響を管理装置のオペレータに対して通知することができる。
【００４１】
次に、本発明に係る第２の実施形態について説明する。この第２の実施形態では、データベース１１に登録されたモデリング情報を用いて、所定の箇所（ネットワーク機器及び／又はリンク区間）を保守停止する場合や、所定の箇所に障害が発生した場合の影響をシミュレーションして通知することができる。
【００４２】
図５は、第２の実施形態によるシミュレーション画面の一例である。この画面には、保守や障害により停止する箇所を１つ又は複数設定し、この設定情報を表示する領域２０と、領域２０で設定された箇所に障害が発生した場合における、シミュレーション結果を表示する領域３０及び４０とが設けられる。
【００４３】
領域３０は、設定箇所に障害が発生した場合に影響を受けるＬＳＰを表示し、領域４０は、影響を受けるＥ２Ｅ通信区間を表示する。
【００４４】
ここで、ＭＰＬＳ網区間内に複数のＬＳＰ経路が設定される場合、領域３０には、各々の経路の優先度（プライオリティ）毎に影響を受ける経路が表示され、通常は、優先度の高い経路（Ｐｒｉｍａｒｙ）が選択される。
【００４５】
このとき、優先度を変更してシミュレーションしたい場合には、異なる優先度の経路（Ｓｅｃｏｎｄａｒｙ）を選択した状態でシミュレーションを再度実行することにより、選択された経路に基づく、Ｅ２Ｅ通信区間への影響が領域４０に表示される。
【００４６】
以上のように、第２の実施形態によれば、保守や障害によって停止する箇所を１つ又は複数設定することにより、予めデータベース１１に登録されたモデリング情報に基づき、停止による影響を事前にシミュレーションすることができる。
【符号の説明】
【００４７】
１  管理装置
２  ネットワーク
１０  制御部
１１  データベース
１２  通信部
１３  操作部
１４  表示部
２０、３０、４０  領域
【図１】
2015211255.tif 000003
【図２】
2015211255.tif 000004
【図３】
2015211255.tif 000005
【図４】
2015211255.tif 000006
【図５】
2015211255.tif 000007